(57)【特許請求の範囲】
【請求項１】
（ａ）基体５１９と、
（ｂ）ディスクを再生し、または記録する光ピックアップ５１１と、
（ｃ）光ピックアップを基体の予め定める一直線状の移動方向に移動する移動手段５２２と、
（ｄ）ディスクを乗載するテーブル５０８と、
（ｅ）前記移動方向に垂直な回転軸線を有し、テーブルを回転駆動し、取付け片５２９を有する回転駆動源５０６と、
（ｆ）回転駆動源の光ピックアップに対する位置決めと姿勢との調整を行うためのディスクの種類に対応する３つの調整手段５２３，５２４，５２５であって、
前記移動方向に垂直に間隔をあけて配置される第１および第２調整手段５２３，５２４と、
第１調整手段に前記移動方向に平行に間隔をあけて配置される第３調整手段５２５とを含み、
回転駆動源の取付け片５２９には、第１〜第３調整手段５２３，５２４，５２５にそれぞれ対応する第１〜第３取付け孔５３１〜５３３が形成され、
（ｆ１）第１調整手段５２３は、
（ｆ１１）第１軸部材５３５であって、
軸線方向一端部が基体に取付けられる第１軸部５４４と、
第１軸部の軸線方向他端部に連なり、第１軸部よりも小径であり、第１取付け孔５３１にぴったりと嵌合し、取付け片５２９の厚みｄ１よりも長い（Ｈ１＞ｄ１）第１位置決め用凸部５４５とを有し、
前記軸線方向他端部に臨む第１ねじ孔５４６を有する第１軸部材５３５と、
（ｆ１２）第１位置決め用凸部よりも大径の第１ボルト頭５４７を有し、第１位置決め用凸部の遊端部に第１ボルト頭が当接して第１ねじ孔５４６によって固定され、その第１ボルト頭は、取付け片５２９の第１取付け孔５３１付近の一表面に対向する第１ボルト５３６と、
（ｆ１３）基体と、取付け片の第１取付け孔付近の他表面との間に介在され、取付け片５２９に基体５１９から遠去かる方向のばね力を与える第１ばね５３７とを含み、
（ｆ２）第２または第３調整手段のいずれか一方５２４は、
（ｆ２１）第２軸部材５５５であって、
軸線方向一端部が基体に取付けられる第２軸部５６４と、
第２軸部の軸線方向他端部に連なり、第２軸部よりも小径であり、第２取付け孔にぴったりと嵌合し、取付け片の厚みｄ１よりも短い（Ｈ２＜ｄ１）第２位置決め用凸部５６５とを有し、
前記軸線方向他端部に臨む第２ねじ孔５６６を有する第２軸部材５５５と、
（ｆ２２）第２位置決め用凸部よりも大径の第２ボルト頭５６７を有し、取付け片の第２取付け孔５３２を挿通し、その第２位置決め用凸部の遊端部に第２ねじ孔５６６によって調整可能に螺合し、その第２ボルト頭は、取付け片の第２取付け孔５３２付近の一表面に対向する第２ボルト５５６と、
（ｆ２３）基体と、取付け片の第２取付け孔付近の他表面との間に介在され、取付け片に基体から遠去かる方向のばね力を与える第２ばね５５７とを含み、
（ｆ３）第２または第３調整手段のいずれか他方５２５は、
（ｆ３１）第３軸部材５７５であって、
軸線方向一端部が基体に取付けられる第３軸部５８４を有し、
軸線方向他端部に臨む第３ねじ孔５８６を有する第３軸部材５７５と、
（ｆ３２）取付け片の第３取付け孔５３３を挿通し、第３軸部の遊端部に第３ねじ孔５８６によって調整可能に螺合し、取付け片の第３取付け孔付近の一表面に対向する第３ボルト頭５８７を有する第３ボルト５７６と、
（ｆ３３）基体と、取付け片の第３取付け孔５３３付近の他表面との間に介在され、取付け片に基体から遠去かる方向のばね力を与える第３ばね５７７とを含むことを特徴とするディスク装置。
【請求項２】
（ａ）基体５１９と、
（ｂ）ディスクを再生し、または記録する光ピックアップ５１１と、
（ｃ）光ピックアップを基体の予め定める一直線状の移動方向に移動する移動手段５２２と、
（ｄ）ディスクを乗載するテーブル５０８と、
（ｅ）前記移動方向に垂直な回転軸線を有し、テーブルを回転駆動し、取付け片５２９を有する回転駆動源５０６と、
（ｆ）回転駆動源の光ピックアップに対する位置決めと姿勢との調整を行うためのディスクの種類に対応する３つの調整手段５２３，５２４，５２５であって、
前記移動方向に垂直に間隔をあけて配置される第１および第２調整手段５２３，５２４と、
第１調整手段に前記移動方向に平行に間隔をあけて配置される第３調整手段５２５とを含み、
回転駆動源の取付け片５２９には、第１〜第３調整手段５２３，５２４，５２５にそれぞれ対応する第１〜第３取付け孔５３１〜５３３が形成され、
（ｆ１）第１調整手段５２３は、
（ｆ１１）第１軸部材５３５であって、
基体に立設される第１取付け部５４２と、
第１取付け部が軸線方向一端部に連なり、第１取付け部よりも大径である第１軸部５４４と、
第１軸部の軸線方向他端部に連なり、第１軸部よりも小径であり、第１取付け孔５３１にぴったりと嵌合し、取付け片５２９の厚みｄ１よりも長い（Ｈ１＞ｄ１）第１位置決め用凸部５４５とを有し、
前記軸線方向他端部に臨む第１ねじ孔５４６を有する第１軸部材５３５と、
（ｆ１２）第１位置決め用凸部よりも大径の第１ボルト頭５４７を有し、第１位置決め用凸部の遊端部に第１ボルト頭が当接して第１ねじ孔５４６によって固定され、その第１ボルト頭は、取付け片５２９の第１取付け孔５３１付近の一表面に対向する第１ボルト５３６と、
（ｆ１３）基体と、取付け片の第１取付け孔付近の他表面との間に介在され、取付け片５２９に基体５１９から遠去かる方向のばね力を与える第１ばね５３７とを含み、
（ｆ２）第２または第３調整手段のいずれか一方５２４は、
（ｆ２１）第２軸部材５５５であって、
基体に立設される第２取付け部５６２と、
第２取付け部が軸線方向一端部に連なり、第２取付け部よりも大径であり、第１軸部と同一長さ（Ｈ５＝Ｈ４）を有する第２軸部５６４と、
第２軸部の軸線方向他端部に連なり、第２軸部よりも小径であり、第２取付け孔にぴったりと嵌合し、取付け片の厚みｄ１よりも短い（Ｈ２＜ｄ１）第２位置決め用凸部５６５とを有し、
前記軸線方向他端部に臨む第２ねじ孔５６６を有する第２軸部材５５５と、
（ｆ２２）第２位置決め用凸部よりも大径の第２ボルト頭５６７を有し、取付け片の第２取付け孔５３２を挿通し、その第２位置決め用凸部の遊端部に第２ねじ孔５６６によって調整可能に螺合し、その第２ボルト頭は、取付け片の第２取付け孔５３２付近の一表面に対向する第２ボルト５５６と、
（ｆ２３）基体と、取付け片の第２取付け孔付近の他表面との間に介在され、取付け片に基体から遠去かる方向のばね力を与える第２ばね５５７とを含み、
（ｆ３）第２または第３調整手段のいずれか他方５２５は、
（ｆ３１）第３軸部材５７５であって、
基体に立設される第３取付け部５８２と、
第３取付け部が軸線方向一端部に連なり、第３取付け部よりも大径であり、第１軸部と同一長さ（Ｈ６＝Ｈ４）を有する第３軸部５８４とを有し、
軸線方向他端部に臨む第３ねじ孔５８６を有する第３軸部材５７５と、
（ｆ３２）取付け片の第３取付け孔５３３を挿通し、第３軸部の遊端部に第３ねじ孔５８６によって調整可能に螺合し、取付け片の第３取付け孔付近の一表面に対向する第３ボルト頭５８７を有する第３ボルト５７６と、
（ｆ３３）基体と、取付け片の第３取付け孔５３３付近の他表面との間に介在され、取付け片に基体から遠去かる方向のばね力を与える第３ばね５７７とを含むことを特徴とするディスク装置。
【請求項３】
（ａ）基体５１９と、
（ｂ）ディスクを再生し、または記録する光ピックアップ５１１と、
（ｃ）光ピックアップを基体の予め定める一直線状の移動方向に移動する移動手段５２２と、
（ｄ）ディスクを乗載するテーブル５０８と、
（ｅ）前記移動方向に垂直な回転軸線を有し、テーブルを回転駆動し、取付け片５２９を有する回転駆動源５０６と、
（ｆ）回転駆動源の光ピックアップに対する位置決めと姿勢との調整を行うためのディスクの種類に対応する３つの調整手段５９６，５９７，５９８であって、
前記移動方向に垂直に間隔をあけて配置される第１および第２調整手段５９６，５９７と、
第１調整手段に前記移動方向に平行に間隔をあけて配置される第３調整手段５９８とを含み、
回転駆動源５０６の取付け片５２９には、第１〜第３調整手段５９６，５９７，５９８にそれぞれ対応する第１〜第３取付け孔５３１〜５３３が形成され、
（ｆ１）第１調整手段５９６は、
（ｆ１１）第１軸部材６０５であって、
軸線方向一端部が基体に取付けられる第１軸部６１４と、
第１軸部の軸線方向他端部に連なり、第１軸部よりも小径であり、第１取付け孔５３１にぴったりと嵌合し、かつ取付け片５２９の厚みｄ１よりも短い（Ｈ８＜ｄ１）第１位置決め用凸部６１５とを有し、
前記軸線方向の他端部に臨む第１ねじ孔６１６を有する第１軸部材６０５と、
（ｆ１２）第１位置決め用凸部６１５よりも大径の第１ボルト頭６１７を有し、取付け片の第１取付け孔５３１を挿通し、第１位置決め用凸部の遊端部に第１ねじ孔６１６によって固定され、第１ボルト頭と第１軸部の前記軸線方向他端部との間で、取付け片の第１取付け孔５３１付近の部分を挟持する第１ボルト６０６とを含み、
（ｆ２）第２または第３調整手段のいずれか一方５９７は、
（ｆ２１）第２軸部材６２５であって、
軸線方向一端部が基体に取付けられる第２軸部６３４と、
第２軸部の軸線方向他端部に連なり、第２軸部よりも小径であり、第２取付け孔にぴったりと嵌合し、取付け片の厚みｄ１よりも短い（Ｈ９＜ｄ１）第２位置決め用凸部６３５とを有し、
前記軸線方向他端部に臨む第２ねじ孔６３６を有する第２軸部材６２５と、
（ｆ２２）第２位置決め用凸部よりも大径の第２ボルト頭６３７を有し、取付け片の第２取付け孔５３２を挿通し、その第２位置決め用凸部６３５の遊端部に第２ねじ孔６３６によって固定され、第２ボルト頭と、第２軸部の前記軸線方向他端部との間で、取付け片の第２取付け孔５３２付近の部分を挟持する第２ボルト６２６とを含み、
（ｆ３）第２または第３調整手段のいずれか他方５９８は、
（ｆ３１）第３軸部材６４５であって、
軸線方向一端部が基体に取付けられる第３軸部６５４を有し、
軸線方向他端部に臨む第３ねじ孔６５６を有する第３軸部材６４５と、
（ｆ３２）第３ボルト頭６５７を有し、取付け片５２９の第３取付け孔５３３に挿通し、第３軸部の遊端部に第３ねじ孔６５６によって固定され、第３ボルト頭と第３軸部の前記軸線方向他端部との間で、取付け片の第３取付け孔５３３付近の部分を挟持する第３ボルト６４６とを含むことを特徴とするディスク装置。
【請求項４】
（ａ）基体５１９と、
（ｂ）ディスクを再生し、または記録する光ピックアップ５１１と、
（ｃ）光ピックアップを基体の予め定める一直線状の移動方向に移動する移動手段５２２と、
（ｄ）ディスクを乗載するテーブル５０８と、
（ｅ）前記移動方向に垂直な回転軸線を有し、テーブルを回転駆動し、取付け片５２９を有する回転駆動源５０６と、
（ｆ）回転駆動源の光ピックアップに対する位置決めと姿勢との調整を行うためのディスクの種類に対応する３つの調整手段５９６，５９７，５９８であって、
前記移動方向に垂直に間隔をあけて配置される第１および第２調整手段５９６，５９７と、
第１調整手段に前記移動方向に平行に間隔をあけて配置される第３調整手段５９８とを含み、
回転駆動源５０６の取付け片５２９には、第１〜第３調整手段５９６，５９７，５９８にそれぞれ対応する第１〜第３取付け孔５３１〜５３３が形成され、
（ｆ１）第１調整手段５９６は、
（ｆ１１）第１軸部材６０５であって、
基体に立設される第１取付け部６１２と、
第１取付け部が軸線方向一端部に連なり、第１取付け部よりも大径である第１軸部６１４と、
第１軸部の軸線方向他端部に連なり、第１軸部よりも小径であり、第１取付け孔５３１にぴったりと嵌合し、かつ取付け片５２９の厚みｄ１よりも短い（Ｈ８＜ｄ１）第１位置決め用凸部６１５とを有し、
前記軸線方向の他端部に臨む第１ねじ孔６１６を有する第１軸部材６０５と、
（ｆ１２）第１位置決め用凸部６１５よりも大径の第１ボルト頭６１７を有し、取付け片の第１取付け孔５３１を挿通し、第１位置決め用凸部の遊端部に第１ねじ孔６１６によって固定され、第１ボルト頭と第１軸部の前記軸線方向他端部との間で、取付け片の第１取付け孔５３１付近の部分を挟持する第１ボルト６０６とを含み、
（ｆ２）第２または第３調整手段のいずれか一方５９７は、
（ｆ２１）第２軸部材６２５であって、
基体に立設される第２取付け部６３２と、
第２取付け部が軸線方向一端部に連なり、第２取付け部よりも大径であり、第１軸部と同一長さ（Ｈ１０＝Ｈ１１）を有する第２軸部６３４と、
第２軸部の軸線方向他端部に連なり、第２軸部よりも小径であり、第２取付け孔にぴったりと嵌合し、取付け片の厚みｄ１よりも短い（Ｈ９＜ｄ１）第２位置決め用凸部６３５とを有し、
前記軸線方向他端部に臨む第２ねじ孔６３６を有する第２軸部材６２５と、
（ｆ２２）第２位置決め用凸部よりも大径の第２ボルト頭６３７を有し、取付け片の第２取付け孔５３２を挿通し、その第２位置決め用凸部６３５の遊端部に第２ねじ孔６３６によって固定され、第２ボルト頭と、第２軸部の前記軸線方向他端部との間で、取付け片の第２取付け孔５３２付近の部分を挟持する第２ボルト６２６とを含み、
（ｆ３）第２または第３調整手段のいずれか他方５９８は、
（ｆ３１）第３軸部材６４５であって、
基体に立設される第３取付け部６５２と、
第３取付け部が軸線方向一端部に連なり、第３取付け部よりも大径である第３軸部６５４とを有し、
軸線方向他端部に臨む第３ねじ孔６５６を有する第３軸部材６４５と、
（ｆ３２）第３ボルト頭６５７を有し、取付け片５２９の第３取付け孔５３３に挿通し、第３軸部の遊端部に第３ねじ孔６５６によって固定され、第３ボルト頭と第３軸部の前記軸線方向他端部との間で、取付け片の第３取付け孔５３３付近の部分を挟持する第３ボルト６４６とを含むことを特徴とするディスク装置。
【請求項５】
第１および第２調整手段の距離Ｌ１は、第１および第３調整手段の距離Ｌ２を超える値に選ばれることを特徴とする請求項１〜４のうちの１つに記載のディスク装置。
【請求項６】
（ａ）基体５１９と、
（ｂ）ディスクを再生し、または記録する光ピックアップ５１１と、
（ｃ）光ピックアップを基体の予め定める一直線状の移動方向に移動する移動手段５２２と、
（ｄ）ディスクを乗載するテーブル５０８と、
（ｅ）前記移動方向に垂直な回転軸線を有し、テーブルを回転駆動し、取付け片５２９を有する回転駆動源５０６と、
（ｆ）回転駆動源の光ピックアップに対する位置決めと姿勢との調整を行うためのディスクの各種類に対応する２組の第１〜第３および第４〜第６調整手段５２３，５２４，５２５；５９６，５９７，５９８であって、
前記各組は、
前記移動方向に垂直に間隔をあけて配置される第１および第２ならびに第４および第５調整手段５２３，５２４；５９６，５９７と、
第１調整手段に前記移動方向に平行に間隔をあけて配置される第３および第６調整手段５２５；５９８とを含み、
回転駆動源５０６の取付け片５２９には、２組の第１〜第３および第４〜第６調整手段５２３，５２４，５２５；５９６，５９７，５９８にそれぞれ対応する第１〜第３取付け孔５３１〜５３３が形成され、
前記２組の１つでは、
（ｆ１）第１調整手段５２３は、
（ｆ１１）第１軸部材５３５であって、
軸線方向一端部が基体に取付けられる第１軸部５４４と、
第１軸部の軸線方向他端部に連なり、第１軸部よりも小径であり、第１取付け孔５３１にぴったりと嵌合し、取付け片５２９の厚みｄ１よりも長い（Ｈ１＞ｄ１）第１位置決め用凸部５４５とを有し、
前記軸線方向他端部に臨む第１ねじ孔５４６を有する第１軸部材５３５と、
（ｆ１２）第１位置決め用凸部よりも大径の第１ボルト頭５４７を有し、第１位置決め用凸部の遊端部に第１ボルト頭が当接して第１ねじ孔５４６によって固定され、その第１ボルト頭は、取付け片５２９の第１取付け孔５３１付近の一表面に対向する第１ボルト５３６と、
（ｆ１３）基体と、取付け片の第１取付け孔付近の他表面との間に介在され、取付け片５２９に基体５１９から遠去かる方向のばね力を与える第１ばね５３７とを含み、
（ｆ２）第２または第３調整手段のいずれか一方５２４は、
（ｆ２１）第２軸部材５５５であって、
軸線方向一端部が基体に取付ける第２軸部５６４と、
第２軸部の軸線方向他端部に連なり、第２軸部よりも小径であり、第２取付け孔にぴったりと嵌合し、取付け片の厚みｄ１よりも短い（Ｈ２＜ｄ１）第２位置決め用凸部５６５とを有し、
前記軸線方向他端部に臨む第２ねじ孔５６６を有する第２軸部材５６２と、
（ｆ２２）第２位置決め用凸部よりも大径の第２ボルト頭５６７を有し、取付け片の第２取付け孔５３２を挿通し、その第２位置決め用凸部の遊端部に第２ねじ孔５６６によって調整可能に螺合し、その第２ボルト頭は、取付け片の第２取付け孔５３２付近の一表面に対向する第２ボルト５５６と、
（ｆ２３）基体と、取付け片の第２取付け孔付近の他表面との間に介在され、取付け片に基体から遠去かる方向のばね力を与える第２ばね５５７とを含み、
（ｆ３）第２または第３調整手段のいずれか他方５２５は、
（ｆ３１）第３軸部材５７５であって、
軸線方向一端部が基体に取付ける第３軸部５８４を有し、
軸線方向他端部に臨む第３ねじ孔５８６を有する第３軸部材５７５と、
（ｆ３２）取付け片の第３取付け孔５３３を挿通し、第３軸部の遊端部に第３ねじ孔５８６によって調整可能に螺合し、取付け片の第３取付け孔付近の一表面に対向する第３ボルト頭５８７を有する第３ボルト５７６と、
（ｆ３３）基体と、取付け片の第３取付け孔付近の他表面との間に介在され、取付け片に基体から遠去かる方向のばね力を与える第３ばね５７７とを含み、
前記２組の他の１つでは、
（ｆ４）第４調整手段５９６は、
（ｆ４１）第４軸部材６０５であって、
軸線方向一端部が基体に取付けられる第４軸部６１４と、
第４軸部の軸線方向他端部に連なり、第４軸部よりも小径であり、第１取付け孔５３１にぴったりと嵌合し、かつ取付け片５２９の厚みｄ１よりも短い（Ｈ８＜ｄ１）第４位置決め用凸部６１５とを有し、
前記軸線方向の他端部に臨む第４ねじ孔６１６を有する第４軸部材６０５と、
（ｆ４２）第４位置決め用凸部６１５よりも大径の第１ボルト頭６１７を有し、取付け片の第１取付け孔５３１を挿通し、第４位置決め用凸部の遊端部に第４ねじ孔６１６によって固定され、第４ボルト頭と第４軸部の前記軸線方向他端部との間で、取付け片の第４取付け孔５３１付近の部分を挟持する第４ボルト６０６とを含み、
（ｆ５）第４または第５調整手段のいずれか一方５９７は、
（ｆ５１）第５軸部材６２５であって、
軸線方向一端部が基体に取付けられる第５軸部６３４と、
第５軸部の軸線方向他端部に連なり、第５軸部よりも小径であり、第２取付け孔にぴったりと嵌合し、取付け片の厚みよりも短い（Ｈ９＜ｄ１）第５位置決め用凸部６３５とを有し、
前記軸線方向他端部に臨む第５ねじ孔６３６を有する第５軸部材６２５と、
（ｆ５２）第５位置決め用凸部よりも大径の第５ボルト頭６３７を有し、取付け片の第２取付け孔５３２を挿通し、その第５位置決め用凸部６３５の遊端部に第５ねじ孔６３６によって固定され、第５ボルト頭と、第５軸部の前記軸線方向他端部との間で、取付け片の第２取付け孔５３２付近の部分を挟持する第５ボルト６２６とを含み、
（ｆ６）第４または第５調整手段のいずれか他方５９８は、
（ｆ６１）第６軸部材６４５であって、
軸線方向一端部が基体に取付けられる第６軸部６５４を有し、
軸線方向他端部に臨む第６ねじ孔６５６を有する第６軸部材６４５と、
（ｆ６２）第６ボルト頭６５７を有し、取付け片５２９の第６取付け孔５３３に挿通し、第６軸部の遊端部に第６ねじ孔６５６によって固定され、第６ボルト頭と第６軸部の前記軸線方向他端部との間で、取付け片の第３取付け孔５３３付近の部分を挟持する第６ボルト６４６とを含むことを特徴とするディスク装置。
【請求項７】
（ａ）基体５１９と、
（ｂ）ディスクを再生し、または記録する光ピックアップ５１１と、
（ｃ）光ピックアップを基体の予め定める一直線状の移動方向に移動する移動手段５２２と、
（ｄ）ディスクを乗載するテーブル５０８と、
（ｅ）前記移動方向に垂直な回転軸線を有し、テーブルを回転駆動し、取付け片５２９を有する回転駆動源５０６と、
（ｆ）回転駆動源の光ピックアップに対する位置決めと姿勢との調整を行うためのディスクの各種類に対応する２組の第１〜第３および第４〜第６調整手段５２３，５２４，５２５；５９６，５９７，５９８であって、
前記各組は、
前記移動方向に垂直に間隔をあけて配置される第１および第２ならびに第４および第５調整手段５２３，５２４；５９６，５９７と、
第１調整手段に前記移動方向に平行に間隔をあけて配置される第３および第６調整手段５２５；５９８とを含み、
回転駆動源５０６の取付け片５２９には、２組の第１〜第３および第４〜第６調整手段５２３，５２４，５２５；５９６，５９７，５９８にそれぞれ対応する第１〜第３取付け孔５３１〜５３３が形成され、
前記２組の１つでは、
（ｆ１）第１調整手段５２３は、
（ｆ１１）第１軸部材５３５であって、
基体に立設される第１取付け部５４２と、
第１取付け部が軸線方向一端部に連なり、第１取付け部よりも大径である第１軸部５４４と、
第１軸部の軸線方向他端部に連なり、第１軸部よりも小径であり、第１取付け孔５３１にぴったりと嵌合し、取付け片５２９の厚みｄ１よりも長い（Ｈ１＞ｄ１）第１位置決め用凸部５４５とを有し、
前記軸線方向他端部に臨む第１ねじ孔５４６を有する第１軸部材５３５と、
（ｆ１２）第１位置決め用凸部よりも大径の第１ボルト頭５４７を有し、第１位置決め用凸部の遊端部に第１ボルト頭が当接して第１ねじ孔５４６によって固定され、その第１ボルト頭は、取付け片５２９の第１取付け孔５３１付近の一表面に対向する第１ボルト５３６と、
（ｆ１３）基体と、取付け片の第１取付け孔付近の他表面との間に介在され、取付け片５２９に基体５１９から遠去かる方向のばね力を与える第１ばね５３７とを含み、
（ｆ２）第２または第３調整手段のいずれか一方５２４は、
（ｆ２１）第２軸部材５５５であって、
基体に立設される第２取付け部５６２と、
第２取付け部が軸線方向一端部に連なり、第２取付け部よりも大径であり、第１軸部と同一長さ（Ｈ５＝Ｈ４）を有する第２軸部５６４と、
第２軸部の軸線方向他端部に連なり、第２軸部よりも小径であり、第２取付け孔にぴったりと嵌合し、取付け片の厚みｄ１よりも短い（Ｈ２＜ｄ１）第２位置決め用凸部５６５とを有し、
前記軸線方向他端部に臨む第２ねじ孔５６６を有する第２軸部材５６２と、
（ｆ２２）第２位置決め用凸部よりも大径の第２ボルト頭５６７を有し、取付け片の第２取付け孔５３２を挿通し、その第２位置決め用凸部の遊端部に第２ねじ孔５６６によって調整可能に螺合し、その第２ボルト頭は、取付け片の第２取付け孔５３２付近の一表面に対向する第２ボルト５５６と、
（ｆ２３）基体と、取付け片の第２取付け孔付近の他表面との間に介在され、取付け片に基体から遠去かる方向のばね力を与える第２ばね５５７とを含み、
（ｆ３）第２または第３調整手段のいずれか他方５２５は、
（ｆ３１）第３軸部材５７５であって、
基体に立設される第３取付け部５８２と、
第３取付け部が軸線方向一端部に連なり、第３取付け部よりも大径であり、第１軸部と同一長さ（Ｈ６＝Ｈ４）を有する第３軸部５８４とを有し、
軸線方向他端部に臨む第３ねじ孔５８６を有する第３軸部材５７５と、
（ｆ３２）取付け片の第３取付け孔５３３を挿通し、第３軸部の遊端部に第３ねじ孔５８６によって調整可能に螺合し、取付け片の第３取付け孔付近の一表面に対向する第３ボルト頭５８７を有する第３ボルト５７６と、
（ｆ３３）基体と、取付け片の第３取付け孔付近の他表面との間に介在され、取付け片に基体から遠去かる方向のばね力を与える第３ばね５７７とを含み、
前記２組の他の１つでは、
（ｆ４）第４調整手段５９６は、
（ｆ４１）第４軸部材６０５であって、
基体に立設される第４取付け部６１２と、
第４取付け部が軸線方向一端部に連なり、第４取付け部よりも大径である第４軸部６１４と、
第４軸部の軸線方向他端部に連なり、第４軸部よりも小径であり、第１取付け孔５３１にぴったりと嵌合し、かつ取付け片５２９の厚みｄ１よりも短い（Ｈ８＜ｄ１）第４位置決め用凸部６１５とを有し、
前記軸線方向の他端部に臨む第４ねじ孔６１６を有する第４軸部材６０５と、
（ｆ４２）第４位置決め用凸部６１５よりも大径の第１ボルト頭６１７を有し、取付け片の第１取付け孔５３１を挿通し、第４位置決め用凸部の遊端部に第４ねじ孔６１６によって固定され、第４ボルト頭と第４軸部の前記軸線方向他端部との間で、取付け片の第４取付け孔５３１付近の部分を挟持する第４ボルト６０６とを含み、
（ｆ５）第４または第５調整手段のいずれか一方５９７は、
（ｆ５１）第５軸部材６２５であって、
基体に立設される第５取付け部６３２と、
第５取付け部が軸線方向一端部に連なり、第５取付け部よりも大径であり、第１軸部と同一長さ（Ｈ１０＝Ｈ１１）を有する第５軸部６３４と、
第５軸部の軸線方向他端部に連なり、第５軸部よりも小径であり、第２取付け孔にぴったりと嵌合し、取付け片の厚みよりも短い（Ｈ９＜ｄ１）第５位置決め用凸部６３５とを有し、
前記軸線方向他端部に臨む第５ねじ孔６３６を有する第５軸部材６２５と、
（ｆ５２）第５位置決め用凸部よりも大径の第５ボルト頭６３７を有し、取付け片の第２取付け孔５３２を挿通し、その第５位置決め用凸部６３５の遊端部に第５ねじ孔６３６によって固定され、第５ボルト頭と、第５軸部の前記軸線方向他端部との間で、取付け片の第２取付け孔５３２付近の部分を挟持する第５ボルト６２６とを含み、
（ｆ６）第４または第５調整手段のいずれか他方５９８は、
（ｆ６１）第６軸部材６４５であって、
基体に立設される第６取付け部６５２と、
第６取付け部が軸線方向一端部に連なり、第６取付け部よりも大径である第６軸部６５４とを有し、
軸線方向他端部に臨む第６ねじ孔６５６を有する第６軸部材６４５と、
（ｆ６２）第６ボルト頭６５７を有し、取付け片５２９の第６取付け孔５３３に挿通し、第６軸部の遊端部に第６ねじ孔６５６によって固定され、第６ボルト頭と第６軸部の前記軸線方向他端部との間で、取付け片の第３取付け孔５３３付近の部分を挟持する第６ボルト６４６とを含むことを特徴とするディスク装置。
【発明の詳細な説明】
【０００１】
【発明の属する技術分野】
本発明は、デジタルビデオディスク（略称ＤＶＤ）およびコンパクトディスク（略称ＣＤ）などの光ディスクまたは光磁気ディスクまたは円板状記録媒体であるディスクを再生または記録のいずれか少なくとも一方を行うディスク装置に関する。
【０００２】
【従来の技術】
ＤＶＤの外径は１２ｃｍφを有し、ＣＤは１２ｃｍφおよび８ｃｍφの外径を有し、いずれも円板状光ディスクであり、類似している。したがってＤＶＤ再生装置およびＣＤ再生装置をそれぞれ製造するにあたっては、部品の共通化が望まれる。ＤＶＤの記録層は、両面１層、両面２層、片面１層および片面２層の構造となっており、ＣＤの記録層は片面１層の構造となっており、ＤＶＤでは、ＣＤに比べて記録密度が高く、記録方式は相互に異なり、したがってＤＶＤおよびＣＤの記録層を読出すための光ピックアップおよびそれに関連する構成が、相互に異なっている。それにもかかわらず、ＤＶＤ再生装置およびＣＤ再生装置において、部品の共通化が望まれ、これによって大量生産が容易になる。
【０００３】
【発明が解決しようとする課題】
本発明の目的は、ＤＶＤおよびＣＤなどの複数種類のディスクの再生または記録のために、構成要素である部品をできるだけ共通化することができるようにした、ディスク装置を提供することである。
【０００４】
【課題を解決するための手段】
本発明は、（ａ）基体５１９と、
（ｂ）ディスクを再生し、または記録する光ピックアップ５１１と、
（ｃ）光ピックアップを基体の予め定める一直線状の移動方向に移動する移動手段５２２と、
（ｄ）ディスクを乗載するテーブル５０８と、
（ｅ）前記移動方向に垂直な回転軸線を有し、テーブルを回転駆動し、取付け片５２９を有する回転駆動源５０６と、
（ｆ）回転駆動源の光ピックアップに対する位置決めと姿勢との調整を行うためのディスクの種類に対応する３つの調整手段５２３，５２４，５２５であって、
前記移動方向に垂直に間隔をあけて配置される第１および第２調整手段５２３，５２４と、
第１調整手段に前記移動方向に平行に間隔をあけて配置される第３調整手段５２５とを含み、
回転駆動源の取付け片５２９には、第１〜第３調整手段５２３，５２４，５２５にそれぞれ対応する第１〜第３取付け孔５３１〜５３３が形成され、
（ｆ１）第１調整手段５２３は、
（ｆ１１）第１軸部材５３５であって、
軸線方向一端部が基体に取付けられる第１軸部５４４と、
第１軸部の軸線方向他端部に連なり、第１軸部よりも小径であり、第１取付け孔５３１にぴったりと嵌合し、取付け片５２９の厚みｄ１よりも長い（Ｈ１＞ｄ１）第１位置決め用凸部５４５とを有し、
前記軸線方向他端部に臨む第１ねじ孔５４６を有する第１軸部材５３５と、
（ｆ１２）第１位置決め用凸部よりも大径の第１ボルト頭５４７を有し、第１位置決め用凸部の遊端部に第１ボルト頭が当接して第１ねじ孔５４６によって固定され、その第１ボルト頭は、取付け片５２９の第１取付け孔５３１付近の一表面に対向する第１ボルト５３６と、
（ｆ１３）基体と、取付け片の第１取付け孔付近の他表面との間に介在され、取付け片５２９に基体５１９から遠去かる方向のばね力を与える第１ばね５３７とを含み、
（ｆ２）第２または第３調整手段のいずれか一方５２４は、
（ｆ２１）第２軸部材５５５であって、
軸線方向一端部が基体に取付けられる第２軸部５６４と、
第２軸部の軸線方向他端部に連なり、第２軸部よりも小径であり、第２取付け孔にぴったりと嵌合し、取付け片の厚みｄ１よりも短い（Ｈ２＜ｄ１）第２位置決め用凸部５６５とを有し、
前記軸線方向他端部に臨む第２ねじ孔５６６を有する第２軸部材５５５と、
（ｆ２２）第２位置決め用凸部よりも大径の第２ボルト頭５６７を有し、取付け片の第２取付け孔５３２を挿通し、その第２位置決め用凸部の遊端部に第２ねじ孔５６６によって調整可能に螺合し、その第２ボルト頭は、取付け片の第２取付け孔５３２付近の一表面に対向する第２ボルト５５６と、
（ｆ２３）基体と、取付け片の第２取付け孔付近の他表面との間に介在され、取付け片に基体から遠去かる方向のばね力を与える第２ばね５５７とを含み、
（ｆ３）第２または第３調整手段のいずれか他方５２５は、
（ｆ３１）第３軸部材５７５であって、
軸線方向一端部が基体に取付けられる第３軸部５８４を有し、
軸線方向他端部に臨む第３ねじ孔５８６を有する第３軸部材５７５と、
（ｆ３２）取付け片の第３取付け孔５３３を挿通し、第３軸部の遊端部に第３ねじ孔５８６によって調整可能に螺合し、取付け片の第３取付け孔付近の一表面に対向する第３ボルト頭５８７を有する第３ボルト５７６と、
（ｆ３３）基体と、取付け片の第３取付け孔５３３付近の他表面との間に介在され、取付け片に基体から遠去かる方向のばね力を与える第３ばね５７７とを含むことを特徴とするディスク装置である。
本発明は、（ａ）基体５１９と、
（ｂ）ディスクを再生し、または記録する光ピックアップ５１１と、
（ｃ）光ピックアップを基体の予め定める一直線状の移動方向に移動する移動手段５２２と、
（ｄ）ディスクを乗載するテーブル５０８と、
（ｅ）前記移動方向に垂直な回転軸線を有し、テーブルを回転駆動し、取付け片５２９を有する回転駆動源５０６と、
（ｆ）回転駆動源の光ピックアップに対する位置決めと姿勢との調整を行うためのディスクの種類に対応する３つの調整手段５２３，５２４，５２５であって、
前記移動方向に垂直に間隔をあけて配置される第１および第２調整手段５２３，５２４と、
第１調整手段に前記移動方向に平行に間隔をあけて配置される第３調整手段５２５とを含み、
回転駆動源の取付け片５２９には、第１〜第３調整手段５２３，５２４，５２５にそれぞれ対応する第１〜第３取付け孔５３１〜５３３が形成され、
（ｆ１）第１調整手段５２３は、
（ｆ１１）第１軸部材５３５であって、
基体に立設される第１取付け部５４２と、
第１取付け部が軸線方向一端部に連なり、第１取付け部よりも大径である第１軸部５４４と、
第１軸部の軸線方向他端部に連なり、第１軸部よりも小径であり、第１取付け孔５３１にぴったりと嵌合し、取付け片５２９の厚みｄ１よりも長い（Ｈ１＞ｄ１）第１位置決め用凸部５４５とを有し、
前記軸線方向他端部に臨む第１ねじ孔５４６を有する第１軸部材５３５と、
（ｆ１２）第１位置決め用凸部よりも大径の第１ボルト頭５４７を有し、第１位置決め用凸部の遊端部に第１ボルト頭が当接して第１ねじ孔５４６によって固定され、その第１ボルト頭は、取付け片５２９の第１取付け孔５３１付近の一表面に対向する第１ボルト５３６と、
（ｆ１３）基体と、取付け片の第１取付け孔付近の他表面との間に介在され、取付け片５２９に基体５１９から遠去かる方向のばね力を与える第１ばね５３７とを含み、
（ｆ２）第２または第３調整手段のいずれか一方５２４は、
（ｆ２１）第２軸部材５５５であって、
基体に立設される第２取付け部５６２と、
第２取付け部が軸線方向一端部に連なり、第２取付け部よりも大径であり、第１軸部と同一長さ（Ｈ５＝Ｈ４）を有する第２軸部５６４と、
第２軸部の軸線方向他端部に連なり、第２軸部よりも小径であり、第２取付け孔にぴったりと嵌合し、取付け片の厚みｄ１よりも短い（Ｈ２＜ｄ１）第２位置決め用凸部５６５とを有し、
前記軸線方向他端部に臨む第２ねじ孔５６６を有する第２軸部材５５５と、
（ｆ２２）第２位置決め用凸部よりも大径の第２ボルト頭５６７を有し、取付け片の第２取付け孔５３２を挿通し、その第２位置決め用凸部の遊端部に第２ねじ孔５６６によって調整可能に螺合し、その第２ボルト頭は、取付け片の第２取付け孔５３２付近の一表面に対向する第２ボルト５５６と、
（ｆ２３）基体と、取付け片の第２取付け孔付近の他表面との間に介在され、取付け片に基体から遠去かる方向のばね力を与える第２ばね５５７とを含み、
（ｆ３）第２または第３調整手段のいずれか他方５２５は、
（ｆ３１）第３軸部材５７５であって、
基体に立設される第３取付け部５８２と、
第３取付け部が軸線方向一端部に連なり、第３取付け部よりも大径であり、第１軸部と同一長さ（Ｈ６＝Ｈ４）を有する第３軸部５８４とを有し、
軸線方向他端部に臨む第３ねじ孔５８６を有する第３軸部材５７５と、
（ｆ３２）取付け片の第３取付け孔５３３を挿通し、第３軸部の遊端部に第３ねじ孔５８６によって調整可能に螺合し、取付け片の第３取付け孔付近の一表面に対向する第３ボルト頭５８７を有する第３ボルト５７６と、
（ｆ３３）基体と、取付け片の第３取付け孔５３３付近の他表面との間に介在され、取付け片に基体から遠去かる方向のばね力を与える第３ばね５７７とを含むことを特徴とするディスク装置である。
【０００５】
本発明に従えば、シャーシなどの基体には、移動手段によって光ピックアップが、予め定める一直線状の移動方向に移動可能に設けられ、回転駆動源によって回転駆動されるテーブルにさらに乗載されたディスクを、光ピックアップによって再生する。回転駆動源によるテーブルの回転軸線は、移動手段による光ピックアップの移動方向に垂直となるように、回転駆動源の位置決めと姿勢とが、調整手段によって調整される。この調整手段の各組は、ＤＶＤおよびＣＤなどのディスクの各種類に対応して、３つの調整手段ずつ用いられる。各組の３つの調整手段は、回転駆動源の取付け片を、基体に、位置決めと姿勢とを設定するために用いられる。したがってこれらの調整手段を、ディスクの種類に対応して選択することによって、複数種類のディスクに共通に、基体、移動手段、テーブル、回転駆動源などを用いることができ、構成要素である部品の共通化を図ることが容易に可能になる。
【０００７】
本発明に従えば、複数種類のディスクの各組の３つの調整手段のうち、第１および第２調整手段５２３，５２４；５９６，５９７は、光ピックアップの移動手段による移動方向に垂直に間隔をあけて配置され、もう１つの第３調整手段５２５；５９８は、第１調整手段５２３；５９６とともに移動方向に平行となるように間隔をあけて配置される。したがってたとえば第１調整手段によって、光ピックアップの対物レンズとディスクの光ピックアップに臨む表面との基準となる間隔Ｄ１を設定し、第２または第３調整手段のいずれか一方と、前記第１調整手段とによって、取付け片５２９、したがって回転駆動源５０６の基体５１９に対する位置決めを行うことができる。さらに第２および第３調整手段の両者またはいずれか一方によって、回転駆動源によるテーブルの回転軸線の角度がテーブルに乗載されたディスクの記録層に垂直となるように、回転駆動源、したがって取付け片の姿勢を調整して設定することができる。たとえば後述の図１〜図５の実施の形態では、第２調整手段５２４の調整によって、前記移動方向の直線まわりのいわゆるタンジェンシャル角度を調整し、また第３調整手段５２５によって前記移動方向に垂直な直線まわりのいわばラジアル角度の調整を行うことができ、第１および第２調整手段５２３，５２４によって位置決めの調整を行うことができる。後述の図６〜図８の実施の形態では、第１および第２調整手段５９６，５９７によって位置決めが行われるとともに、第３調整手段５９８によって姿勢の調整、設定が行われる。
【０００９】
本発明に従えば、図１〜図５に示される実施の形態において、第１および第２調整手段５２３，５２４の第１および第２位置決め用凸部によって取付け片の位置決めが行われ、第２調整手段によってタンジェンシャル角度の調整が行われ、第３調整手段５２５によってラジアル角度の調整が行われ、このようにして第２および第３調整手段による取付け片の姿勢が調整される。
【００１０】
本発明は、（ａ）基体５１９と、
（ｂ）ディスクを再生し、または記録する光ピックアップ５１１と、
（ｃ）光ピックアップを基体の予め定める一直線状の移動方向に移動する移動手段５２２と、
（ｄ）ディスクを乗載するテーブル５０８と、
（ｅ）前記移動方向に垂直な回転軸線を有し、テーブルを回転駆動し、取付け片５２９を有する回転駆動源５０６と、
（ｆ）回転駆動源の光ピックアップに対する位置決めと姿勢との調整を行うためのディスクの種類に対応する３つの調整手段５９６，５９７，５９８であって、
前記移動方向に垂直に間隔をあけて配置される第１および第２調整手段５９６，５９７
と、
第１調整手段に前記移動方向に平行に間隔をあけて配置される第３調整手段５９８とを含み、
回転駆動源５０６の取付け片５２９には、第１〜第３調整手段５９６，５９７，５９８にそれぞれ対応する第１〜第３取付け孔５３１〜５３３が形成され、
（ｆ１）第１調整手段５９６は、
（ｆ１１）第１軸部材６０５であって、
軸線方向一端部が基体に取付けられる第１軸部６１４と、
第１軸部の軸線方向他端部に連なり、第１軸部よりも小径であり、第１取付け孔５３１にぴったりと嵌合し、かつ取付け片５２９の厚みｄ１よりも短い（Ｈ８＜ｄ１）第１位置決め用凸部６１５とを有し、
前記軸線方向の他端部に臨む第１ねじ孔６１６を有する第１軸部材６０５と、
（ｆ１２）第１位置決め用凸部６１５よりも大径の第１ボルト頭６１７を有し、取付け片の第１取付け孔５３１を挿通し、第１位置決め用凸部の遊端部に第１ねじ孔６１６によって固定され、第１ボルト頭と第１軸部の前記軸線方向他端部との間で、取付け片の第１取付け孔５３１付近の部分を挟持する第１ボルト６０６とを含み、
（ｆ２）第２または第３調整手段のいずれか一方５９７は、
（ｆ２１）第２軸部材６２５であって、
軸線方向一端部が基体に取付けられる第２軸部６３４と、
第２軸部の軸線方向他端部に連なり、第２軸部よりも小径であり、第２取付け孔にぴったりと嵌合し、取付け片の厚みｄ１よりも短い（Ｈ９＜ｄ１）第２位置決め用凸部６３５とを有し、
前記軸線方向他端部に臨む第２ねじ孔６３６を有する第２軸部材６２５と、
（ｆ２２）第２位置決め用凸部よりも大径の第２ボルト頭６３７を有し、取付け片の第２取付け孔５３２を挿通し、その第２位置決め用凸部６３５の遊端部に第２ねじ孔６３６によって固定され、第２ボルト頭と、第２軸部の前記軸線方向他端部との間で、取付け片の第２取付け孔５３２付近の部分を挟持する第２ボルト６２６とを含み、
（ｆ３）第２または第３調整手段のいずれか他方５９８は、
（ｆ３１）第３軸部材６４５であって、
軸線方向一端部が基体に取付けられる第３軸部６５４を有し、
軸線方向他端部に臨む第３ねじ孔６５６を有する第３軸部材６４５と、
（ｆ３２）第３ボルト頭６５７を有し、取付け片５２９の第３取付け孔５３３に挿通し、第３軸部の遊端部に第３ねじ孔６５６によって固定され、第３ボルト頭と第３軸部の前記軸線方向他端部との間で、取付け片の第３取付け孔５３３付近の部分を挟持する第３ボルト６４６とを含むことを特徴とするディスク装置である。
本発明は、（ａ）基体５１９と、
（ｂ）ディスクを再生し、または記録する光ピックアップ５１１と、
（ｃ）光ピックアップを基体の予め定める一直線状の移動方向に移動する移動手段５２２と、
（ｄ）ディスクを乗載するテーブル５０８と、
（ｅ）前記移動方向に垂直な回転軸線を有し、テーブルを回転駆動し、取付け片５２９を有する回転駆動源５０６と、
（ｆ）回転駆動源の光ピックアップに対する位置決めと姿勢との調整を行うためのディスクの種類に対応する３つの調整手段５９６，５９７，５９８であって、
前記移動方向に垂直に間隔をあけて配置される第１および第２調整手段５９６，５９７と、
第１調整手段に前記移動方向に平行に間隔をあけて配置される第３調整手段５９８とを含み、
回転駆動源５０６の取付け片５２９には、第１〜第３調整手段５９６，５９７，５９８にそれぞれ対応する第１〜第３取付け孔５３１〜５３３が形成され、
（ｆ１）第１調整手段５９６は、
（ｆ１１）第１軸部材６０５であって、
基体に立設される第１取付け部６１２と、
第１取付け部が軸線方向一端部に連なり、第１取付け部よりも大径である第１軸部６１４と、
第１軸部の軸線方向他端部に連なり、第１軸部よりも小径であり、第１取付け孔５３１にぴったりと嵌合し、かつ取付け片５２９の厚みｄ１よりも短い（Ｈ８＜ｄ１）第１位置決め用凸部６１５とを有し、
前記軸線方向の他端部に臨む第１ねじ孔６１６を有する第１軸部材６０５と、
（ｆ１２）第１位置決め用凸部６１５よりも大径の第１ボルト頭６１７を有し、取付け片の第１取付け孔５３１を挿通し、第１位置決め用凸部の遊端部に第１ねじ孔６１６によって固定され、第１ボルト頭と第１軸部の前記軸線方向他端部との間で、取付け片の第１取付け孔５３１付近の部分を挟持する第１ボルト６０６とを含み、
（ｆ２）第２または第３調整手段のいずれか一方５９７は、
（ｆ２１）第２軸部材６２５であって、
基体に立設される第２取付け部６３２と、
第２取付け部が軸線方向一端部に連なり、第２取付け部よりも大径であり、第１軸部と同一長さ（Ｈ１０＝Ｈ１１）を有する第２軸部６３４と、
第２軸部の軸線方向他端部に連なり、第２軸部よりも小径であり、第２取付け孔にぴったりと嵌合し、取付け片の厚みｄ１よりも短い（Ｈ９＜ｄ１）第２位置決め用凸部６３５とを有し、
前記軸線方向他端部に臨む第２ねじ孔６３６を有する第２軸部材６２５と、
（ｆ２２）第２位置決め用凸部よりも大径の第２ボルト頭６３７を有し、取付け片の第２取付け孔５３２を挿通し、その第２位置決め用凸部６３５の遊端部に第２ねじ孔６３６によって固定され、第２ボルト頭と、第２軸部の前記軸線方向他端部との間で、取付け片の第２取付け孔５３２付近の部分を挟持する第２ボルト６２６とを含み、
（ｆ３）第２または第３調整手段のいずれか他方５９８は、
（ｆ３１）第３軸部材６４５であって、
基体に立設される第３取付け部６５２と、
第３取付け部が軸線方向一端部に連なり、第３取付け部よりも大径である第３軸部６５４とを有し、
軸線方向他端部に臨む第３ねじ孔６５６を有する第３軸部材６４５と、
（ｆ３２）第３ボルト頭６５７を有し、取付け片５２９の第３取付け孔５３３に挿通し、第３軸部の遊端部に第３ねじ孔６５６によって固定され、第３ボルト頭と第３軸部の前記軸線方向他端部との間で、取付け片の第３取付け孔５３３付近の部分を挟持する第３ボルト６４６とを含むことを特徴とするディスク装置である。
【００１１】
本発明に従えば、図６〜図８の実施の形態において、第１および第２調整手段５９６，５９７によって取付け片の位置決めが行われるとともに、第３調整手段５９８によって、取付け片の姿勢の調整が行われる。
【００１２】
また本発明は、第１および第２調整手段の距離Ｌ１は、第１および第３調整手段の距離Ｌ２を超える値に選ばれることを特徴とする。
【００１３】
本発明に従えば、取付け片の位置決めを調整して設定するために用いられる第１および第２調整手段の相互間の距離Ｌ１を、第１および第３調整手段の相互間の距離Ｌ２を超える値に長く選び（Ｌ１＞Ｌ２）、これによって取付け片の位置決め精度を、高くすることができるようになる。
【００１４】
本発明は、（ａ）基体５１９と、
（ｂ）ディスクを再生し、または記録する光ピックアップ５１１と、
（ｃ）光ピックアップを基体の予め定める一直線状の移動方向に移動する移動手段５２２と、
（ｄ）ディスクを乗載するテーブル５０８と、
（ｅ）前記移動方向に垂直な回転軸線を有し、テーブルを回転駆動し、取付け片５２９を有する回転駆動源５０６と、
（ｆ）回転駆動源の光ピックアップに対する位置決めと姿勢との調整を行うためのディスクの各種類に対応する２組の第１〜第３および第４〜第６調整手段５２３，５２４，５２５；５９６，５９７，５９８であって、
前記各組は、
前記移動方向に垂直に間隔をあけて配置される第１および第２ならびに第４および第５調整手段５２３，５２４；５９６，５９７と、
第１調整手段に前記移動方向に平行に間隔をあけて配置される第３および第６調整手段５２５；５９８とを含み、
回転駆動源５０６の取付け片５２９には、２組の第１〜第３および第４〜第６調整手段５２３，５２４，５２５；５９６，５９７，５９８にそれぞれ対応する第１〜第３取付け孔５３１〜５３３が形成され、
前記２組の１つでは、
（ｆ１）第１調整手段５２３は、
（ｆ１１）第１軸部材５３５であって、
軸線方向一端部が基体に取付けられる第１軸部５４４と、
第１軸部の軸線方向他端部に連なり、第１軸部よりも小径であり、第１取付け孔５３１にぴったりと嵌合し、取付け片５２９の厚みｄ１よりも長い（Ｈ１＞ｄ１）第１位置決め用凸部５４５とを有し、
前記軸線方向他端部に臨む第１ねじ孔５４６を有する第１軸部材５３５と、
（ｆ１２）第１位置決め用凸部よりも大径の第１ボルト頭５４７を有し、第１位置決め用凸部の遊端部に第１ボルト頭が当接して第１ねじ孔５４６によって固定され、その第１ボルト頭は、取付け片５２９の第１取付け孔５３１付近の一表面に対向する第１ボルト５３６と、
（ｆ１３）基体と、取付け片の第１取付け孔付近の他表面との間に介在され、取付け片５２９に基体５１９から遠去かる方向のばね力を与える第１ばね５３７とを含み、
（ｆ２）第２または第３調整手段のいずれか一方５２４は、
（ｆ２１）第２軸部材５５５であって、
軸線方向一端部が基体に取付ける第２軸部５６４と、
第２軸部の軸線方向他端部に連なり、第２軸部よりも小径であり、第２取付け孔にぴったりと嵌合し、取付け片の厚みｄ１よりも短い（Ｈ２＜ｄ１）第２位置決め用凸部５６５とを有し、
前記軸線方向他端部に臨む第２ねじ孔５６６を有する第２軸部材５６２と、
（ｆ２２）第２位置決め用凸部よりも大径の第２ボルト頭５６７を有し、取付け片の第２取付け孔５３２を挿通し、その第２位置決め用凸部の遊端部に第２ねじ孔５６６によって調整可能に螺合し、その第２ボルト頭は、取付け片の第２取付け孔５３２付近の一表面に対向する第２ボルト５５６と、
（ｆ２３）基体と、取付け片の第２取付け孔付近の他表面との間に介在され、取付け片に基体から遠去かる方向のばね力を与える第２ばね５５７とを含み、
（ｆ３）第２または第３調整手段のいずれか他方５２５は、
（ｆ３１）第３軸部材５７５であって、
軸線方向一端部が基体に取付ける第３軸部５８４を有し、
軸線方向他端部に臨む第３ねじ孔５８６を有する第３軸部材５７５と、
（ｆ３２）取付け片の第３取付け孔５３３を挿通し、第３軸部の遊端部に第３ねじ孔５８６によって調整可能に螺合し、取付け片の第３取付け孔付近の一表面に対向する第３ボルト頭５８７を有する第３ボルト５７６と、
（ｆ３３）基体と、取付け片の第３取付け孔付近の他表面との間に介在され、取付け片に基体から遠去かる方向のばね力を与える第３ばね５７７とを含み、
前記２組の他の１つでは、
（ｆ４）第４調整手段５９６は、
（ｆ４１）第４軸部材６０５であって、
軸線方向一端部が基体に取付けられる第４軸部６１４と、
第４軸部の軸線方向他端部に連なり、第４軸部よりも小径であり、第１取付け孔５３１にぴったりと嵌合し、かつ取付け片５２９の厚みｄ１よりも短い（Ｈ８＜ｄ１）第４位置決め用凸部６１５とを有し、
前記軸線方向の他端部に臨む第４ねじ孔６１６を有する第４軸部材６０５と、
（ｆ４２）第４位置決め用凸部６１５よりも大径の第１ボルト頭６１７を有し、取付け片の第１取付け孔５３１を挿通し、第４位置決め用凸部の遊端部に第４ねじ孔６１６によって固定され、第４ボルト頭と第４軸部の前記軸線方向他端部との間で、取付け片の第４取付け孔５３１付近の部分を挟持する第４ボルト６０６とを含み、
（ｆ５）第４または第５調整手段のいずれか一方５９７は、
（ｆ５１）第５軸部材６２５であって、
軸線方向一端部が基体に取付けられる第５軸部６３４と、
第５軸部の軸線方向他端部に連なり、第５軸部よりも小径であり、第２取付け孔にぴったりと嵌合し、取付け片の厚みよりも短い（Ｈ９＜ｄ１）第５位置決め用凸部６３５とを有し、
前記軸線方向他端部に臨む第５ねじ孔６３６を有する第５軸部材６２５と、
（ｆ５２）第５位置決め用凸部よりも大径の第５ボルト頭６３７を有し、取付け片の第２取付け孔５３２を挿通し、その第５位置決め用凸部６３５の遊端部に第５ねじ孔６３６によって固定され、第５ボルト頭と、第５軸部の前記軸線方向他端部との間で、取付け片の第２取付け孔５３２付近の部分を挟持する第５ボルト６２６とを含み、
（ｆ６）第４または第５調整手段のいずれか他方５９８は、
（ｆ６１）第６軸部材６４５であって、
軸線方向一端部が基体に取付けられる第６軸部６５４を有し、
軸線方向他端部に臨む第６ねじ孔６５６を有する第６軸部材６４５と、
（ｆ６２）第６ボルト頭６５７を有し、取付け片５２９の第６取付け孔５３３に挿通し、第６軸部の遊端部に第６ねじ孔６５６によって固定され、第６ボルト頭と第６軸部の前記軸線方向他端部との間で、取付け片の第３取付け孔５３３付近の部分を挟持する第６ボルト６４６とを含むことを特徴とするディスク装置である。
本発明は、（ａ）基体５１９と、
（ｂ）ディスクを再生し、または記録する光ピックアップ５１１と、
（ｃ）光ピックアップを基体の予め定める一直線状の移動方向に移動する移動手段５２２と、
（ｄ）ディスクを乗載するテーブル５０８と、
（ｅ）前記移動方向に垂直な回転軸線を有し、テーブルを回転駆動し、取付け片５２９を有する回転駆動源５０６と、
（ｆ）回転駆動源の光ピックアップに対する位置決めと姿勢との調整を行うためのディスクの各種類に対応する２組の第１〜第３および第４〜第６調整手段５２３，５２４，５２５；５９６，５９７，５９８であって、
前記各組は、
前記移動方向に垂直に間隔をあけて配置される第１および第２ならびに第４および第５調整手段５２３，５２４；５９６，５９７と、
第１調整手段に前記移動方向に平行に間隔をあけて配置される第３および第６調整手段５２５；５９８とを含み、
回転駆動源５０６の取付け片５２９には、２組の第１〜第３および第４〜第６調整手段５２３，５２４，５２５；５９６，５９７，５９８にそれぞれ対応する第１〜第３取付け孔５３１〜５３３が形成され、
前記２組の１つでは、
（ｆ１）第１調整手段５２３は、
（ｆ１１）第１軸部材５３５であって、
基体に立設される第１取付け部５４２と、
第１取付け部が軸線方向一端部に連なり、第１取付け部よりも大径である第１軸部５４４と、
第１軸部の軸線方向他端部に連なり、第１軸部よりも小径であり、第１取付け孔５３１にぴったりと嵌合し、取付け片５２９の厚みｄ１よりも長い（Ｈ１＞ｄ１）第１位置決め用凸部５４５とを有し、
前記軸線方向他端部に臨む第１ねじ孔５４６を有する第１軸部材５３５と、
（ｆ１２）第１位置決め用凸部よりも大径の第１ボルト頭５４７を有し、第１位置決め用凸部の遊端部に第１ボルト頭が当接して第１ねじ孔５４６によって固定され、その第１ボルト頭は、取付け片５２９の第１取付け孔５３１付近の一表面に対向する第１ボルト５３６と、
（ｆ１３）基体と、取付け片の第１取付け孔付近の他表面との間に介在され、取付け片５２９に基体５１９から遠去かる方向のばね力を与える第１ばね５３７とを含み、
（ｆ２）第２または第３調整手段のいずれか一方５２４は、
（ｆ２１）第２軸部材５５５であって、
基体に立設される第２取付け部５６２と、
第２取付け部が軸線方向一端部に連なり、第２取付け部よりも大径であり、第１軸部と同一長さ（Ｈ５＝Ｈ４）を有する第２軸部５６４と、
第２軸部の軸線方向他端部に連なり、第２軸部よりも小径であり、第２取付け孔にぴったりと嵌合し、取付け片の厚みｄ１よりも短い（Ｈ２＜ｄ１）第２位置決め用凸部５６５とを有し、
前記軸線方向他端部に臨む第２ねじ孔５６６を有する第２軸部材５６２と、
（ｆ２２）第２位置決め用凸部よりも大径の第２ボルト頭５６７を有し、取付け片の第２取付け孔５３２を挿通し、その第２位置決め用凸部の遊端部に第２ねじ孔５６６によって調整可能に螺合し、その第２ボルト頭は、取付け片の第２取付け孔５３２付近の一表面に対向する第２ボルト５５６と、
（ｆ２３）基体と、取付け片の第２取付け孔付近の他表面との間に介在され、取付け片に基体から遠去かる方向のばね力を与える第２ばね５５７とを含み、
（ｆ３）第２または第３調整手段のいずれか他方５２５は、
（ｆ３１）第３軸部材５７５であって、
基体に立設される第３取付け部５８２と、
第３取付け部が軸線方向一端部に連なり、第３取付け部よりも大径であり、第１軸部と同一長さ（Ｈ６＝Ｈ４）を有する第３軸部５８４とを有し、
軸線方向他端部に臨む第３ねじ孔５８６を有する第３軸部材５７５と、
（ｆ３２）取付け片の第３取付け孔５３３を挿通し、第３軸部の遊端部に第３ねじ孔５８６によって調整可能に螺合し、取付け片の第３取付け孔付近の一表面に対向する第３ボルト頭５８７を有する第３ボルト５７６と、
（ｆ３３）基体と、取付け片の第３取付け孔付近の他表面との間に介在され、取付け片に基体から遠去かる方向のばね力を与える第３ばね５７７とを含み、
前記２組の他の１つでは、
（ｆ４）第４調整手段５９６は、
（ｆ４１）第４軸部材６０５であって、
基体に立設される第４取付け部６１２と、
第４取付け部が軸線方向一端部に連なり、第４取付け部よりも大径である第４軸部６１４と、
第４軸部の軸線方向他端部に連なり、第４軸部よりも小径であり、第１取付け孔５３１にぴったりと嵌合し、かつ取付け片５２９の厚みｄ１よりも短い（Ｈ８＜ｄ１）第４位置決め用凸部６１５とを有し、
前記軸線方向の他端部に臨む第４ねじ孔６１６を有する第４軸部材６０５と、
（ｆ４２）第４位置決め用凸部６１５よりも大径の第１ボルト頭６１７を有し、取付け片の第１取付け孔５３１を挿通し、第４位置決め用凸部の遊端部に第４ねじ孔６１６によって固定され、第４ボルト頭と第４軸部の前記軸線方向他端部との間で、取付け片の第４取付け孔５３１付近の部分を挟持する第４ボルト６０６とを含み、
（ｆ５）第４または第５調整手段のいずれか一方５９７は、
（ｆ５１）第５軸部材６２５であって、
基体に立設される第５取付け部６３２と、
第５取付け部が軸線方向一端部に連なり、第５取付け部よりも大径であり、第１軸部と同一長さ（Ｈ１０＝Ｈ１１）を有する第５軸部６３４と、
第５軸部の軸線方向他端部に連なり、第５軸部よりも小径であり、第２取付け孔にぴったりと嵌合し、取付け片の厚みよりも短い（Ｈ９＜ｄ１）第５位置決め用凸部６３５とを有し、
前記軸線方向他端部に臨む第５ねじ孔６３６を有する第５軸部材６２５と、
（ｆ５２）第５位置決め用凸部よりも大径の第５ボルト頭６３７を有し、取付け片の第２取付け孔５３２を挿通し、その第５位置決め用凸部６３５の遊端部に第５ねじ孔６３６によって固定され、第５ボルト頭と、第５軸部の前記軸線方向他端部との間で、取付け片の第２取付け孔５３２付近の部分を挟持する第５ボルト６２６とを含み、
（ｆ６）第４または第５調整手段のいずれか他方５９８は、
（ｆ６１）第６軸部材６４５であって、
基体に立設される第６取付け部６５２と、
第６取付け部が軸線方向一端部に連なり、第６取付け部よりも大径である第６軸部６５４とを有し、
軸線方向他端部に臨む第６ねじ孔６５６を有する第６軸部材６４５と、
（ｆ６２）第６ボルト頭６５７を有し、取付け片５２９の第６取付け孔５３３に挿通し、第６軸部の遊端部に第６ねじ孔６５６によって固定され、第６ボルト頭と第６軸部の前記軸線方向他端部との間で、取付け片の第３取付け孔５３３付近の部分を挟持する第６ボルト６４６とを含むことを特徴とするディスク装置である。
【００１５】
本発明に従えば、たとえばＤＶＤ再生装置とＣＤ再生装置とに、構成要素を共通化して、製造することができるようになる。
【００１６】
【発明の実施の形態】
図１は、本発明の実施の一形態の全体の構成を示す簡略化した平面図である。ＤＶＤ再生装置５０１において、挿入／排出口５０２から矢符５０３で示されるようにＤＶＤ５０４が、装置本体５０５内に挿入される。このＤＶＤ５０４は、装置本体５０５内で、回転駆動源５０６によって図１の紙面にほぼ垂直な回転軸線５０７のまわりに回転駆動されるテーブル５０８に乗載される。このテーブル５０８に乗載されたＤＶＤは、参照符５０９で示される。このＤＶＤ５０９は、光ピックアップ５１１に備えられた対物レンズ５１２からのレーザ光を用いてそのＤＶＤ５０９の記録層の内容が読出されて再生される。光ピックアップ５１１は、ねじ棒である主軸５１３と、副軸５１４によって案内され、光ピックアップ５１１は、図１の実線で示されるＤＶＤ５０９の半径方向最内方位置と、仮想線５１５で示されるＤＶＤ５０９の半径方向最外方の位置との間にわたって、移動方向５１６の前後に移動することができる。
【００１７】
主軸５１３は、移動駆動源５１７によってその軸線まわりに回転駆動されるねじ棒であり、光ピックアップ５１１に取付けられたナット部材５１８は、主軸５１３に螺合する。こうして光ピックアップ５１１は、主軸５１３と副軸５１４とによって装置本体５０５の基体５１９における図１の紙面に平行な仮想平面内で、前述の移動方向５１６に沿って移動することができる。対物レンズ５１２の光軸は、前記仮想平面内でテーブル５０８の回転軸線５０７を通る一直線５２１上にあり、この対物レンズ５１２の光軸は、前記仮想平面に垂直である。
【００１８】
主軸５１３と副軸５１４と移動駆動源５１７とナット部材５１８とは、光ピックアップ５１１を基体５１９の一直線５２１に平行な移動方向５１６に移動する移動手段５２２を構成する。
【００１９】
図２は、ＤＶＤ再生装置５０１の図１に示されるシャーシである基体５１９およびそれに関連する一部の構成要素を示す平面図である。光ピックアップ５１１の移動方向５１６の一直線５２１を含む図２の紙面に平行な前記仮想平面に、テーブル５０８の回転軸線５０７が正確に垂直になるように調整するために、本発明に従えば、第１調整手段５２３と、第２調整手段５２４と、第３調整手段５２５とが備えられる。
【００２０】
図３は図２の切断面線ＩＩＩ−ＩＩＩから見た断面図であり、図４は図２の切断面線ＩＶ−ＩＶから見た断面図である。これらの図面を参照して、回転駆動源５０６は、テーブル５０８を形成する回転体５２８と、この回転体５２８が前述の回転軸線５０７まわりに回転自在に設けられる板状の取付け片５２９とを含む。第１および第２調整手段５２３，５２４は、図３の紙面に垂直な移動方向５１６に垂直に（図３の左右に）間隔Ｌ１をあけて配置される。また第１および第３調整手段５２３，５２５は、図４に示されるように、前記移動方向５１６に平行に、図４の紙面上で間隔Ｌ２をあけて配置される。この実施の形態では、Ｌ１＞Ｌ２に選ばれる。回転駆動源５０６の取付け片５２９には、第１〜第３調整手段５２３，５２４，５２５にそれぞれ対応して第１〜第３取付け孔５３１〜５３３が形成される。
【００２１】
第１調整手段５２３は、第１軸部材５３５と、第１ボルト５３６と、第１ばね５３７とを含む。第１軸部材５３５は、基体５１９の固定孔５４１に嵌合して立設して固定される第１取付け部５４２と、第１軸部５４４と、第１位置決め用凸部５４５とを有する。第１軸部５４４は、その軸線方向５４３の一端部（図３の上端部）に第１取付け部５４２が連なり、第１取付け部５４２よりも大径である。第１位置決め用凸部５４５は、その軸線方向５４３の他端部（図３の下端部）に第１軸部５４４が連なり、第１軸部５４４よりも小径であり、第１取付け孔５３１にびったりと嵌合する。この第１位置決め用凸部５４５の軸線方向５４３の長さＨ１は、取付け片５２９の厚みｄ１よりも長い（Ｈ１＞ｄ１）。この第１軸部材５３５の軸線方向５４３の他端部（図３の下端部）に臨んで、ねじ孔５４６が形成される。
【００２２】
第１ボルト５３６は、第１ボルト頭５４７と、おねじが形成された軸部５４８とを有する。第１ボルト頭５４７は、第１位置決め用凸部５４５よりも大径である。第１ボルト５３６の軸部５４８は、ねじ孔５４６に螺合し、第１ボルト頭５４７が第１位置決め用凸部５４５の遊端部（図３の下端部）に当接して固定される。第１ボルト頭５４７は、取付け片５２９の第１取付け孔５３１付近の図３における下表面に対向する。
【００２３】
第１ばね５３７は、基体５１９と、取付け片５２９の第１取付け孔５３１付近の他表面（図３の上表面）との間に介在され、第１軸部５４４が挿通するコイル状に形成される。この第１ばね５３７は、取付け片５２９に、基体５１９から遠去かる方向（図３の下方）のばね力を与える。第１軸部材５３５の軸線に垂直な断面は、円形であり、第１取付け部５４２、第１軸部５４４および第１位置決め用凸部５４５は、直円柱状である。第１取付け孔５３１の内径は、第１位置決め用凸部５４５の外周面と同一の直径を有する。
【００２４】
第２調整手段５２４は、第２位置調整手段５２３と類似の構成を有するけれども、第２位置決め用凸部５６５の長さＨ２は、取付け片５２９の厚みｄ１よりも短い（Ｈ２＜ｄ１）。第１軸部材５３５の第１軸部５４４と第１位置決め用凸部５４５との肩面５４９と取付け片５２９の図３における上表面との間には、隙間ｄ２が存在する。
【００２５】
第２調整手段５２４は、第２軸部材５５５と、第２ボルト５５６と、第２ばね５５７とを含む。第２軸部材５５５は、基体５１９の固定孔５６１に嵌合して立設して固定される第２取付け部５６２と、第２軸部５６４と、第２位置決め用凸部５６５とを有する。第２軸部５６４は、その軸線方向５６３の一端部（図３の上端部）に第２取付け部５６２が連なり、第２取付け部５６２よりも大径である。第２位置決め用凸部５６５は、その軸線方向５６３の他端部（図３の下端部）に第２軸部５６４が連なり、第２軸部５６４よりも小径であり、第２取付け孔５３２にびったりと嵌合する。この第２軸部材５５５の軸線方向５６３の他端部（図３の下端部）に臨んで、ねじ孔５６６が形成される。
【００２６】
第２ボルト５５６は、第２ボルト頭５６７と、おねじが形成された軸部５６８とを有する。第２ボルト頭５６７は、第２位置決め用凸部５６５よりも大径である。第２ボルト５５６の軸部５６８は、ねじ孔５６６に螺合し、第２ボルト頭５６７が第２位置決め用凸部５６５の遊端部（図３の下端部）に当接して固定される。第２ボルト頭５６７は、取付け片５２９の第２取付け孔５３２付近の図３における下表面に対向する。
【００２７】
第２ばね５５７は、基体５１９と、取付け片５２９の第２取付け孔５３２付近の他表面（図３の上表面）との間に介在され、第２軸部５６４が挿通するコイル状に形成される。この第２ばね５５７は、取付け片５２９に、基体５１９から遠去かる方向（図３の下方）のばね力を与える。第２軸部材５５５の軸線に垂直な断面は、円形であり、第２取付け部５６２、第２軸部５６４および第２位置決め用凸部５６５は、直円柱状である。第２取付け孔５３２の内径は、第２位置決め用凸部５６５の外周面と同一の直径を有する。
【００２８】
取付け片５２９の前記一表面は、第１ばね５３７のばね力によって、第１ボルト頭５４７の軸部５４８側の表面に弾発的に当接した状態が保たれる。取付け片５２９の前記一表面は、第２ばね５５７のばね力によって、第２ボルト頭５６７の軸部５６８側の表面に弾発的に当接した状態が保たれる。したがって基体５１９と取付け片５２９との間の間隔Ｈ３が、一定に保たれる。取付け片５２９の第１取付け孔５３１には、前述のように第１位置決め用凸部５４５がぴったりと嵌合し、また同様に第２取付け孔５３２には第２位置決め用凸部５６５がぴったりと嵌合し、これによって取付け片５２９、したがって回転駆動源５０６およびテーブル５０８の位置決めが正確に達成される。第１軸部５４４と第２軸部５６４の軸線方向の高さＨ４，Ｈ５は等しい（Ｈ４＝Ｈ５）。第１位置決め用凸部５４５の高さＨ１は、第２位置決め用凸部５６５の高さＨ２を超える値である（Ｈ１＞Ｈ２）。こうして第２調整手段５２４における第２軸部５６４と第２位置決め用凸部５６５との間の肩面５６９と、取付け片５２９の図３における上表面との間には、隙間ｄ３が存在する。
【００２９】
第２ボルト５５６を回転調整して、間隔ｄ３を調整し、これによって回転軸線５０７のタンジェンシャル角度を調整し、対物レンズ５１２の光軸５２７と回転駆動源５０６の回転軸線５０７とが、図３の紙面に垂直な上下の一仮想平面内に存在するように調整することができる。
【００３０】
図４は第１および第３調整手段５２３，５２５とその付近の断面図であり、図５は第１および第３調整手段５２３，５２５が基体５１９に立設された状態を示す側面図である。第３調整手段５２５は、第３軸部材５７５と、第３ボルト５７６と、第３ばね５７７とを含む。第３軸部材５７５は、基体５１９の固定孔５８１に嵌合して立設して固定される第３取付け部５８２と、第３軸部５８４とを有する。第３軸部５８４は、その軸線方向５８３の一端部（図４の上端部）に第３取付け部５８２が連なり、第３取付け部５８２よりも大径である。この第３軸部材５７５の軸線方向５８３の他端部（図４の下端部）に臨んで、ねじ孔５８６が形成される。
【００３１】
第３ボルト５８６は、第３ボルト頭５８７と、おねじが形成された軸部５８８とを有する。第３ボルト５７６の軸部５８８は、ねじ孔５８６に螺合する。第３ボルト頭５８７は、取付け片５２９の第３取付け孔５３３付近の図４における下表面に対向する。
【００３２】
第３ばね５７７は、基体５１９と、取付け片５２９の第３取付け孔５３３付近の他表面（図４の上表面）との間に介在され、第３軸部５８４が挿通するコイル状に形成される。この第３ばね５７７は、取付け片５２９に、基体５１９から遠去かる方向（図４の下方）のばね力を与える。第３軸部材５７５の軸線に垂直な断面は、円形であり、第３取付け部５８２、第３軸部５８４は、直円柱状である。第３軸部材５７５の第３軸部５８４の高さＨ６は、第１軸部５４４の高さＨ４に等しい（Ｈ６＝Ｈ４＝Ｈ５）。第３ボルト５７６の軸部５８８は、第３取付け孔５３３に緩やかに挿通する。取付け片５２９の前記一表面は、第３ばね５７７のばね力によって、第３ボルト頭５８７の軸部５８８側の表面に弾発的に当接した状態が保たれる。第３軸部材５７５の第３軸部５８４の遊端部５８５と取付け片５２９の図４における上表面との間には、隙間ｄ４が存在する。第３ボルト５７６を回転して、取付け片５２９を、第３軸部材５７５付近で図４の上下に変位することによって、回転駆動源５０６の回転軸線５０７のラジアル角度の調整を行うことができる。
【００３３】
主軸５１３は、固定部材５９１によって基体９に固定される。副軸５１４もまた、基体５１９に固定される。光ピックアップ５１１は、副軸５１４の図３の上案内面に摺動する剛性の案内片５９２と、副軸５１４の図３における下案内面に弾発的に当接して摺動するもう１つの案内片５９３とによって挟持される。
【００３４】
図６は、本発明の実施の他の形態のＣＤ再生装置５９４の一部の断面図である。このＣＤ再生装置５９４は、図１〜図５に関連して前述したＤＶＤ再生装置５０１の構成に類似し、対応する部分には同一の参照符を付す。ＣＤの読出しのための光ピックアップ５９５の対物レンズ５１２に対向してＣＤ５９９が、回転駆動源５０６によって回転軸線５０７のまわりに回転駆動される。この回転駆動源５０６およびその回転駆動源５０６によって回転移動されるＣＤ５９９を乗載するテーブル５０８との位置決めおよび姿勢を調整するために、第１〜第３調整手段５９６〜５９８が、前述の第１〜第３調整手段５２３〜５２５に代えて用いられる。この図６は、前述の図３に対応し、第１および第２調整手段５９６，５９７を示す。
【００３５】
第１調整手段５９６は、第１軸部材６０５と、第１ボルト６０６とを含む。第１軸部材６０５は、基体５１９の固定孔５４１に嵌合して立設して固定される第１取付け部６１２と、第１軸部６１４と、第１位置決め用凸部６１５とを有する。第１軸部６１４は、その軸線方向６１３の一端部（図６の上端部）に第１取付け部６１２が連なり、第１取付け部６１２よりも大径である。第１位置決め用凸部６１５は、その軸線方向６１３の他端部（図６の下端部）に第１軸部６１４が連なり、第１軸部６１４よりも小径であり、第１取付け孔５３１にびったりと嵌合する。この第１位置決め用凸部６１５の軸線方向６１３の長さＨ８は、図６のように、取付け片５２９の厚みｄ１よりも短い（Ｈ８＜ｄ１）。この第１軸部材６０５の軸線方向６１３の他端部（図６の下端部）に臨んで、ねじ孔６１６が形成される。
【００３６】
第１ボルト６０６は、第１ボルト頭６１７と、おねじが形成された軸部６１８とを有する。第１ボルト頭６１７は、第１位置決め用凸部６１５よりも大径である。第１ボルト６０６の軸部６１８は、ねじ孔６１６に螺合し、第１ボルト頭６１７は、第１位置決め用凸部６１５との肩面６１９（図６の下端部）に取付け片５２９を挟持して当接して固定する。第１ボルト頭６１７は、取付け片５２９の第１取付け孔５３１付近の図６における下表面に対向して挟持する。
【００３７】
第１軸部材６１４の軸線に垂直な断面は、円形であり、第１取付け部６１２、第１軸部６１４は、直円柱状である。第１取付け孔５３１の内径は、第１位置決め用凸部６１５の外周面と同一の直径を有する。
【００３８】
第２調整手段５９７は、第１調整手段５９６と同一の構成を有する。第２調整手段５９７は、第２軸部材６２５と、第２ボルト６２６とを含む。第２軸部材６２５は、基体５１９の固定孔５４２に嵌合して立設して固定される第１取付け部６３２と、第２軸部６３４と、第２位置決め用凸部６３５とを有する。第２軸部６３４は、その軸線方向６３３の一端部（図６の上端部）に第２取付け部６３２が連なり、第２取付け部６３２よりも大径である。第２位置決め用凸部６３５は、その軸線方向６３３の他端部（図６の下端部）に第２軸部６３４が連なり、第２軸部６３４よりも小径であり、第２取付け孔５３２にびったりと嵌合する。この第２位置決め用凸部６３５の軸線方向６３３の長さＨ９は、取付け片５２９の厚みｄ１よりも短い（Ｈ９＜ｄ１）。この第２軸部材６２５の軸線方向６３３の他端部（図６の下端部）に臨んで、ねじ孔６３６が形成される。
【００３９】
第２ボルト６２６は、第２ボルト頭６３７と、おねじが形成された軸部６３８とを有する。第２ボルト頭６３７は、第２位置決め用凸部６３５よりも大径である。第２ボルト６２６の軸部６３８は、ねじ孔６３６に螺合し、第２ボルト頭６３７は、第２位置決め用凸部６３５との肩面６３９との間に取付け片５２９を挾持してに当接して固定される。第２ボルト頭６３７は、取付け片５２９の第１取付け孔５３１付近の図６における下表面に対向する。
【００４０】
第２軸部材６２５の軸線に垂直な断面は、円形であり、第２取付け部６３２、第２軸部６３４および第２位置決め用凸部６３５は、直円柱状である。第２取付け孔５３２の内径は、第２位置決め用凸部６３５の外周面と同一の直径を有する。
【００４１】
図７は図６に示されるＣＤ再生装置５９４における第１および第３調整手段５９６，５９８を示す断面図であり、図８は、第１および第３軸部材６０５，６４５が基体５１９に立設された状態を示す側面図である。第３調整手段５９８は、第３軸部材６４５と、第３ボルト６４６とを含む。第３軸部材６４５は、基体５１９の固定孔５４３に嵌合して立設して固定される第３取付け部６５２と、第３軸部６５４とを有する。第３軸部６５４は、その軸線方向６５３の一端部（図７の上端部）に第３取付け部６５２が連なり、第３取付け部６５２よりも大径である。この第３軸部材６４５の軸線方向６５３の他端部（図７の下端部）に臨んで、ねじ孔６５６が形成される。
【００４２】
第３ボルト６４６は、第３ボルト頭６５７と、おねじが形成された軸部６５８とを有する。第３ボルト６４６の軸部６５８は、ねじ孔６５６に螺合し、第３ボルト頭６５７が第３軸部６５４の遊端部６５５（図７の下端部）との間で取付け片５２９を挾持して当接して固定される。第３ボルト頭６５７は、取付け片５２９の第３取付け孔５３３付近の図７における下表面に対向する。
【００４３】
第３軸部材６４５の軸線に垂直な断面は、円形であり、第３取付け部６５２、第３軸部６５４は、直円柱状である。第３取付け孔５３３には、第３ボルト６４６の軸部６５８が緩やかに挿通する。
【００４４】
第１軸部６１４と第２軸部６３４と第３軸部６５４との軸線方向の高さＨ１０，Ｈ１１，Ｈ１２は等しい（Ｈ１０＝Ｈ１１＝Ｈ１２）。
【００４５】
本発明の実施の他の形態では、第２調整手段５２４，５９７と第３調整手段５２５，５９８との取付け位置を、取りかえてもよい。
【００４６】
ＤＶＤ再生のために第１〜第３調整手段５２３〜５２５を用い、またＣＤ再生のために第４〜第６調整手段５９６〜５９８を選択して用いることができる。本発明は、ＤＶＤ，ＣＤなどの光ディスクだけでなく、光磁気ディスクおよびそのほかのディスクに関連して広範囲に実施することができる。
【００４７】
【発明の効果】
請求項１，２の本発明によれば、ＤＶＤまたはＣＤなどのディスクの複数の各種類に個別的に対応する組毎の３つの調整手段を、使用されるディスクの種類に依存して選択することによって、基体、移動手段、テーブル、回転駆動源などの構成要素を共用化して、各種類毎のディスク装置を製造することが容易になり、大量生産が可能になる。
【００４８】
本発明は、ディスクの再生だけでなく、記録のための装置に関連してもまた実施することができる。ディスクは、光ディスクだけでなく、光磁気ディスクなどであってもよい。
【００４９】
第１および第２調整手段５２３，５２４；５９６，５９７を、移動手段による光ピックアップの移動方向に垂直な方向に間隔をあけて配置し、第１および第３調整手段は、前記移動方向に平行に間隔をあけて配置され、したがって前述の図１〜図５の実施の形態におけるように、第２調整手段５２４；５９７による取付け片のタンジェンシャル角度の調整と、第３調整手段５２５；５９８によるラジアル角度の調整とを、独立して行うことができ、調整作業が容易になる。第２調整手段のタンジェンシャル角度の調整によって、ラジアル角度が変化することはなく、また第３調整手段によるラジアル角度の調整時にタンジェンシャル角度が変化するおそれはない。
【００５０】
図１〜図５の実施の形態におけるように、第１および第２調整手段５２３，５２４の第１および第２位置決め用凸部によって回転駆動手段の取付け片の位置決めが行われ、第１〜第３調整手段５２３，５２４，５２５に設けられた第１〜第３ばねのばね力を利用し、第２および第３調整手段による取付け片の姿勢を調整することができ、こうしてたとえばＤＶＤなどの高密度の記録が行われたディスクの再生または記録のために光ピックアップと回転駆動手段との位置および姿勢を高精度に調整して設定することができるようになる。
【００５１】
請求項３，４の本発明によれば、前述の図６〜図８の実施の形態におけるように、たとえばＣＤなどのように、ＤＶＤに比べて位置決めおよび姿勢の調整が低精度でもよい構成では、第１および第２調整手段５９６，５９７による位置決めを行うとともに、第３調整手段による姿勢の調整を行うことが容易に可能になり、このような構成は比較的簡単であり、実現が容易である。
【００５２】
請求項５の本発明によれば、位置決めを行う第１および第２調整手段５２３，５２４；５９６，５９７の距離Ｌ１を長く設定することによって、高精度の位置決めを行うことができるようになる。
【００５３】
請求項６，７の本発明によれば、たとえばＤＶＤまたはＣＤの再生または記録のためのディスク装置の製造にあたり、構成要素を共用化して、実現することができる。
【図面の簡単な説明】
【図１】本発明の実施の一形態の全体の構成を示す簡略化した平面図である。
【図２】ＤＶＤ再生装置５０１の図１に示されるシャーシである基体５１９およびそれに関連する一部の構成要素を示す平面図である。
【図３】図２の切断面線ＩＩＩ−ＩＩＩから見た断面図である。
【図４】図２の切断面線ＩＶ−ＩＶから見た断面図である。
【図５】第１および第３調整手段５２３，５２５が基体５１９に立設された状態を示す側面図である。
【図６】本発明の実施の他の形態のＣＤ再生装置５９４の一部の断面図である。
【図７】図６に示されるＣＤ再生装置５９４における第１および第３調整手段５９６，５９８を示す断面図である。
【図８】第１および第３軸部材６０５，６４５が基体５１９に立設された状態を示す側面図である。
【符号の説明】
５０１  ＤＶＤ再生装置
５０６  回転駆動源
５０８  テーブル
５１１，５９５  光ピックアップ
５１５  基体
５２２  移動手段
５２３，５９６  第１調整手段
５２４，５９７  第２調整手段
５２５，５９８  第３調整手段
５２９  取付け片
５３１  第１取付け孔
５３２  第２取付け孔
５３３  第３取付け孔
５３５，６０５  第１軸部材
５５５，６２５  第２軸部材
５７５，６４５  第３軸部材
５３６，６０６  第１ボルト
６３７  第１ばね
５５６，６２６  第２ボルト
５５７  第２ばね
５７６，６４６  第３ボルト
５７７  第３ばね
【図１】
0004230095.tif 000002
【図２】
0004230095.tif 000003
【図３】
0004230095.tif 000004
【図４】
0004230095.tif 000005
【図５】
0004230095.tif 000006
【図６】
0004230095.tif 000007
【図７】
0004230095.tif 000008
【図８】
0004230095.tif 000009